(57)【要約】【課題】  ベルトに取り付けた装着具にホルダを取り代え自在にかつ確実に取り付けておけるようにする。【解決手段】  背面部にベルトＢを挿通するベルト取付部Ｓ１を有しかつ正面部にホルダＨを装着する嵌入部Ｓ２を有する装着具Ｓと、ホルダＨの背面に設けられていて前記装着具Ｓの嵌入部Ｓ２に係脱自在に係合される係止体３とを有する。前記装着具Ｓは、背面部にベルト取付部Ｓ１を形成しかつ正面部にホルダＨの係止体３を上側から嵌め込み可能な嵌入部Ｓ２を形成したベース体４と、このベース体４の背壁前面に装着されていて嵌入部Ｓ２の背面を形成しかつ嵌入されたホルダＨの係止体３の下限位置を設定する中台５と、前記ベース体４内に配置されていて嵌入されたホルダＨの係止体３と係脱自在に係合して係止体３の抜け止めをする係合部材６とを有する。【選択図】図１
2018192606.tif 000002
【特許請求の範囲】
【請求項１】
背面部にベルト（Ｂ）を挿通するベルト取付部（Ｓ１）を有しかつ正面部にホルダ（Ｈ）を装着する嵌入部（Ｓ２）を有する装着具（Ｓ）と、ホルダ（Ｈ）の背面に設けられていて前記装着具（Ｓ）の嵌入部（Ｓ２）に係脱自在に係合される係止体（３）とを有する工具保持装置であって、
前記装着具（Ｓ）は、背面部にベルト取付部（Ｓ１）を形成しかつ正面部にホルダ（Ｈ）の係止体（３）を上側から嵌め込み可能な嵌入部（Ｓ２）を形成したベース体（４）と、このベース体（４）の背壁前面に装着されていて嵌入部（Ｓ２）の背面を形成しかつ嵌入されたホルダ（Ｈ）の係止体（３）の下限位置を設定する中台（５）と、前記ベース体（４）内に配置されていて嵌入されたホルダ（Ｈ）の係止体（３）と係脱自在に係合して係止体（３）の抜け止めをする係合部材（６）とを有することを特徴とする工具保持装置。
【請求項２】
前記ホルダ（Ｈ）の係止体（３）は、板材の左右縁部に係合部材（６）と係合する被係止部（３Ａ）が形成されていることを特徴とする請求項１に記載の工具保持装置。
【請求項３】
前記係合部材（６）は、ベース体（４）の背壁と中台（５）との間に配置されていて、中台（５）を貫通して嵌入部（Ｓ２）へ突出して係止体（３）の被係止部（３Ａ）と係合する係合部（６Ａ）と、嵌入部（Ｓ２）より外方まで突出していて係合部（６Ａ）を後退可能な操作部（６Ｂ）とを有することを特徴とする請求項２に記載の工具保持装置。
【請求項４】
前記係合部材（６）は、係合部（６Ａ）が係止体（３）の被係止部（３Ａ）と係合しているときに中台（５）を貫通して嵌入部（Ｓ２）へ突出して係止体（３）の背面を弾圧する弾圧部（６Ｃ）を有することを特徴とする請求項３に記載の工具保持装置。
【請求項５】
前記ホルダ（Ｈ）の係止体（３）は、板材の中央側にベルト（Ｂ）を挿通可能なベルト孔部（３Ｂ）が形成されていることを特徴とする請求項１に記載の工具保持装置。
【発明の詳細な説明】
【技術分野】
【０００１】
本発明は、ベルトに工具を保持しておく工具保持装置に関する。
【背景技術】
【０００２】
建設、電気の現場作業者は、ペンチ、ハンマ、ニッパ等の工具を携帯するために、ベルトにカラビナ、差し込み筒等のホルダを取り付けて、そのホルダに工具を係合保持している。総ての工具を携帯することは困難であるため、作業内容に応じて必要な工具を用意し、その工具を保持するホルダをベルトに装着している。
この種の工具を保持する装置としては、特許文献１に開示されたツールホルダー具においては、上方向に解放される開放部を有し上下方向に延びる複数の係合部を当該片面側に設けたベース板と、前記開放部から前記係合部に着脱可能に差し込まれる差し込み部を当該背面側に突設させたホルダー部であって、前記係合部に前記差し込み部を差し込んで前記ベース板に支持されるとともにツールを保持するホルダー部と、を具備している（請求項１）。
【０００３】
また、特許文献２に開示されたカラビナ工具差しにおいては、工具等を保持する環状取付具と、作業者のベルトに固定するベルト取付部を有するカラビナ工具差しであって、前記環状取付具は、周方向の一部の隙間と前記隙間に回転可能に取りつけられたゲートと、直線部を有し、前記ベルト取付部は、片側に開口部を有するベルトを通す２つのスリットと、前記開口部付近に設けられたベルトがはずれることを防ぐストッパと、前記ベルトを通す２つのスリットの間の環状取付具固定部を有し、前記環状取付具は、前記直線部で前記ベルト取付部の前記環状取付具固定部に固定されている（請求項１）。
【先行技術文献】
【特許文献】
【０００４】
【特許文献１】特開２００５−３３５０３０号公報
【特許文献２】特開２０１６−１７９５２８号公報
【発明の概要】
【発明が解決しようとする課題】
【０００５】
前記前者従来技術は、ベース板に対するホルダー部の着脱は容易であるが、不本意な離脱を防止することが困難であり、また、ベース板をベルトに装着するのが困難になっている。
前記後者従来技術は、カラビナ工具差しのベルト取付部をベルトに装着するのは容易であるが、不本意な離脱を防止することが困難であり、ベルトの特定の部位に種々のホルダを取り代えて装着するのは煩雑になっている。
【０００６】
本発明は、このような従来技術の問題点を解決できるようにした工具保持装置を提供することを目的とする。
本発明は、ベルトに取り付けた装着具にホルダの背面の係止体を着脱自在に装着することにより、種々のホルダを取り代え自在にかつ確実に取り付けておける工具保持装置を提供することを目的とする。
【課題を解決するための手段】
【０００７】
本発明における課題解決のための具体的手段は、次の通りである。
第１に、背面部にベルトＢを挿通するベルト取付部Ｓ１を有しかつ正面部にホルダＨを装着する嵌入部Ｓ２を有する装着具Ｓと、ホルダＨの背面に設けられていて前記装着具Ｓの嵌入部Ｓ２に係脱自在に係合される係止体３とを有する工具保持装置であって、
前記装着具Ｓは、背面部にベルト取付部Ｓ１を形成しかつ正面部にホルダＨの係止体３を上側から嵌め込み可能な嵌入部Ｓ２を形成したベース体４と、このベース体４の背壁前面に装着されていて嵌入部Ｓ２の背面を形成しかつ嵌入されたホルダＨの係止体３の下限位置を設定する中台５と、前記ベース体４内に配置されていて嵌入されたホルダＨの係止体３と係脱自在に係合して係止体３の抜け止めをする係合部材６とを有することを特徴とする。
【０００８】
第２に、前記ホルダＨの係止体３は、板材の左右縁部に係合部材６と係合する被係止部３Ａが形成されていることを特徴とする。
第３に、前記係合部材６は、ベース体４の背壁と中台５との間に配置されていて、中台５を貫通して嵌入部Ｓ２へ突出して係止体３の被係止部３Ａと係合する係合部６Ａと、嵌入部Ｓ２より外方まで突出していて係合部６Ａを後退可能な操作部６Ｂとを有することを特徴とする。
【０００９】
第４に、前記係合部材６は、係合部６Ａが係止体３の被係止部３Ａと係合しているときに中台５を貫通して嵌入部Ｓ２へ突出して係止体３の背面を弾圧する弾圧部６Ｃを有することを特徴とする。
第５に、前記ホルダＨの係止体３は、板材の中央側にベルトＢを挿通可能なベルト孔部３Ｂが形成されていることを特徴とする。
【発明の効果】
【００１０】
本発明によれば、ベルトに取り付けた装着具にホルダを取り代え自在にかつ確実に取り付けておける。
即ち、請求項１に係る発明は、装着具Ｓは、ベルト取付部Ｓ１と嵌入部Ｓ２とを形成したベース体４と、このベース体４の背壁前面に装着されていて嵌入部Ｓ２の背面を形成しかつ嵌入されたホルダＨの係止体３の下限位置を設定する中台５と、ベース体４内で嵌入された係止体３と係脱自在に係合して抜け止めをする係合部材６とを有するので、ベルトＢに取り付けた装着具ＳにホルダＨを取り代え自在にかつ確実に取り付けておける。
【００１１】
請求項２に係る発明は、ホルダＨの係止体３は、板材の左右縁部に係合部材６と係合する被係止部３Ａが形成されているので、装着具ＳにホルダＨを確実に取り付けておける。
請求項３に係る発明は、係合部材６は、中台５を貫通して嵌入部Ｓ２へ突出して係止体３の被係止部３Ａと係合する係合部６Ａと、嵌入部Ｓ２より外方まで突出していて係合部６Ａを後退可能な操作部６Ｂとを有するので、嵌入部Ｓ２内で係止体３を確実に抜け止めでき、かつ容易に抜け止めを解除できる。
【００１２】
請求項４に係る発明は、係合部材６は嵌入部Ｓ２へ突出して係止体３の背面を弾圧する弾圧部６Ｃを有するので、嵌入部Ｓ２内で係止体３のガタツキを防止できる。
請求項５に係る発明は、ホルダＨの係止体３は、板材の中央側にベルトＢを挿通可能なベルト孔部３Ｂが形成されているので、装着具Ｓ無しで単独でベルトＢに取り付けることができる。
【図面の簡単な説明】
【００１３】
【図１】本発明の実施形態を示すホルダ装着状態の斜視図である。
【図２】ホルダ装着状態の正面図である。
【図３】ホルダと装着具を分離した状態の正面図である。
【図４】工具保持装置の分解斜視図である。
【図５】ホルダ装着状態の側面図である。
【図６】ホルダ装着状態の平面図である。
【図７】図１のＸ−Ｘ線断面図である。
【図８】図１のＹ−Ｙ線断面図である。
【発明を実施するための形態】
【００１４】
以下、本発明の実施の形態を図面に基づいて説明する。
図１〜８において、工具保持装置１は作業者の腰に巻き付けるベルトＢに取り付けられており、背面部にベルトＢを挿通するベルト取付部Ｓ１を有しかつ正面部にホルダＨを装着する嵌入部Ｓ２を有する装着具Ｓと、ホルダＨの背面に設けられていて前記装着具Ｓの嵌入部Ｓ２に係脱自在に係合される係止体３とを有する。
【００１５】
ホルダＨはカラビナの背面に平板状の板材を固着したものであり、カラビナが工具を携帯保持するための保持本体Ｈ１となり、板材が係止体３となっており、板材の左右縁部に突起形状の被係止部３Ａが形成され、板材の中央側にベルトＢを挿通可能なベルト孔部３Ｂが形成されている。
保持本体Ｈ１としてのカラビナは、ペンチ、ハンマ、ニッパ等の工具に吊り輪が付いて
いる場合にその吊り輪を嵌めることができ、ペンチ、ハンマ、ニッパ等の工具を直接保持する場合は、差し込み筒を保持本体Ｈ１として係止体３の前面側に固定しておく。またその他の工具を保持したい場合は、その工具を収納しておける保持本体Ｈ１を係止体３に固定しておく。従って、ホルダＨは保持本体Ｈ１の異なる複数種類のものが用意され、装着具Ｓに取り換え自在に装着される。
【００１６】
ホルダＨは係止体３にベルト孔部３Ｂを形成することにより、装着具Ｓとは関係なく、単独でベルトＢに取り付けることができ、工具保持装置１専用とする場合は、ベルト孔部３Ｂを割愛することができる。
前記装着具Ｓは、大別してベース体４と中台５と係合部材６の３部材から構成されている。
【００１７】
ベース体４は平坦な背壁４ａの左右端から左右側壁４ｂが前方へ突出し、左右各側壁４ｂの前端から対向内方へ短前壁４ｃが突出しており、左右短前壁４ｃ間は解放されており、ベース体４は平面視略Ｃ字形状になっている。
ベース体４の背壁４ａには、上下に長い２条のベルト挿通孔によりベルト取付部Ｓ１が形成され、左右端の左右側壁４ｂとの境界部分には上下一対の止め穴４ｅが形成されている。また、背壁４ａの下端には吊り輪部４ｆが設けられている。
【００１８】
ベース体４は背壁４ａの前面に中台５を装着することにより、その中台５の前側の正面部の空間がホルダＨの係止体３を上側から嵌め込み可能な嵌入部Ｓ２となる。
図３、４に示すように、中台５は前壁５ａ、左右側壁５ｂ及び上下壁等を有しており、左右側壁５ｂの後端には左右一対の上止め片５ｅと下鉤片５ｆが設けられ、これらの止め片５ｅ及び下鉤片５ｆをベース体４の背壁４ａの上下止め穴４ｅに挿入して溶着、カシメ等により中台５はベース体４に固定される。
【００１９】
中台５の前壁５ａの下部は切り起こして前上方へ折り曲げており、嵌入部Ｓ２の下端でホルダＨの係止体３の下限位置を設定する受け部５ｇが形成されている。また、中台５の前壁５ａの上部中央には窓５ｋが形成され、受け部５ｇと窓５ｋとの間の左右側縁部にはスリット５ｍが形成されている。
前記ベース体４の背壁４ａと中台５の前壁５ａとの間は空間となっており、この空間に係合部材６が配置されている。この係合部材６は、バネ板をＵ字状に折り曲げたものであり、背壁４ａと当接する背部と前壁５ａの背面に当接する前部とを有し、正面視も略Ｕ字形状になっている。
【００２０】
係合部材６が正面視略Ｕ字形状で左右の両腕間隔が広いのは、ベース体４の背壁４ａのベルト取付部Ｓ１にベルトＢを挿通するのに障害にならないようにするためである。
前記係合部材６は、前部の左右両端に前方に突出した係合部６Ａが形成され、前部の左右中央には弾圧部６Ｃが形成され、前部の下部には操作部６Ｂが形成されている。
前記係合部６Ａはバネ板の側端突起を前方へ折り曲げたものであり、上部から下部に行くに従って突出高さが高くなっており、上部が中台５の前壁５ａの左右スリット５ｍに挿入され、下部がスリット５ｍを貫通して嵌入部Ｓ２へ突出しており、嵌入部Ｓ２に上方から挿入される係止体３の被係止部３Ａと係合可能であり、被係止部３Ａと係合することにより係止体３の抜け止めをする。
【００２１】
前記操作部６Ｂは、バネ板の前下部を屈曲して形成したものであり、中台５の前壁５ａの受け部５ｇの下方を通って嵌入部Ｓ２より外方まで突出しており、この操作部６Ｂを押動すると、係合部材６の前部を後部側に弾力的に移動し、被係止部３Ａと係合状態にある係合部６Ａを後退することができ、被係止部３Ａと係合部６Ａの係合・離脱をすることができる。
【００２２】
前記弾圧部６Ｃはバネ板の前中央に舌形状部分を形成して前方へ山形状に突出するように屈曲したものであり、中台５の窓５ｋから嵌入部Ｓ２内に突出している。
この弾圧部６Ｃは、係止体３が嵌入部Ｓ２内に挿入されるときは押しのけられ、係止体３が嵌入部Ｓ２内に挿入された状態では係止体３の背面を弾圧し、係止体３がガタツクのを防止し、嵌入部Ｓ２からの抜けにも抵抗を与えることができる。
【００２３】
前記装着具Ｓは、中台５内に係合部材６を配置し、かつ係合部材６の左右係合部６Ａを
中台５の前壁５ａの左右スリット５ｍに挿入しておいて、それらをベース体４内に挿入し、中台５の止め片５ｅ及び下鉤片５ｆをベース体４の背壁４ａの上下一対の止め穴４ｅに係合して固着する。
この状態で装着具Ｓは、係合部材６の係合部６Ａがスリット５ｍから嵌入部Ｓ２内に突出し、弾圧部６Ｃが窓５ｋから嵌入部Ｓ２内に突出し、操作部６Ｂが受け部５ｇの下方を通って嵌外方まで突出している。
【００２４】
この状態の嵌入部Ｓ２にホルダＨの係止体３を上側から嵌め込んでいくと、係止体３は左右側部が左右短前壁４ｃに案内されながら、かつ係合部６Ａを押動しながら下降する。また、係止体３は左右中途部が弾圧部６Ｃを押しのけ、受け部５ｇに当接するまで下降し、係止体３が受け部５ｇに当接することにより嵌め込みが停止される。
係止体３が受け部５ｇにより下限位置が設定されるとき、押動されていた係合部６Ａが復元して係止体３の被係止部３Ａと係合して係止体３の抜け止めをし、弾圧部６Ｃが係止体３の背中を弾圧する。
【００２５】
これにより、ホルダＨは装着具Ｓに装着され、保持本体Ｈ１に種々の工具を吊り持ち可能になる。また、係合部材６の操作部６Ｂを押圧操作することにより、係合部６Ａの係合及び弾圧部６Ｃの弾圧を解除することができる。
なお、本発明は前記実施形態に限定されるものではなく、部材の形状、構成及び組み合わせ等を変更したりすることもできる。
【００２６】
例えば、ホルダＨの係止体３は、板材の下部の左右中途部に１つの被係止部３Ａを形成し、中台５は下部の左右中途部に１つのスリット５ｍを形成してもよい。
また、ベース体４の嵌入部Ｓ２の公差を小さくして、係合部材６に弾圧部６Ｃがなくとも、ホルダＨの係止体３をガタツキなく保持しておけるようにしてもよい。
さらに、ベース体４のベルト取付部Ｓ１は、ベルトＢに上側から引っ掛けるフック形状のものであってもよい。
【符号の説明】
【００２７】
１      工具保持装置
３      係止体
３Ａ    被係止部
３Ｂ    ベルト孔部
４      ベース体
４ａ    背壁
４ｂ    側壁
４ｃ    短前壁
４ｅ    止め穴
４ｆ    輪部
５      中台
５ａ    前壁
５ｂ    側壁
５ｅ    止め片
５ｆ    下鉤片
５ｇ    受け部
５ｋ    窓
５ｍ    スリット
６      係合部材
６Ａ    係合部
６Ｂ    操作部
６Ｃ    弾圧部
Ｂ      ベルト
Ｈ      ホルダ
Ｈ１    保持本体
Ｓ      装着具
Ｓ１    ベルト取付部
Ｓ２    嵌入部
【図１】
2018192606.tif 000003
【図２】
2018192606.tif 000004
【図３】
2018192606.tif 000005
【図４】
2018192606.tif 000006
【図５】
2018192606.tif 000007
【図６】
2018192606.tif 000008
【図７】
2018192606.tif 000009
【図８】
2018192606.tif 000010